(57)【特許請求の範囲】
【請求項１】
複数の伝送路の現在のパス設定状態をデータベースに記録する第1ステップと、
該データベースに設定された各伝送路の帯域の大きな方から順に該データベースと同一テーブル構造のメモリに集合した空き状態が生じるようにパスの張替を行う第2ステップと、
該メモリの内容を該データベースに上書きしてパス設定を行う第3ステップと、
を備え、
該パス設定状態が、張り替えない固定パスを含み、
該第2ステップが、該固定パスの周囲に張り替えようとするパスを集めるようにパスの張替を行うステップであって、該張り替えようとするパスの帯域より大きな帯域単位で該メモリを複数の範囲に分割したときに該固定パスを含む範囲内の空き領域に該張り替えようとするパスを最小チャネル番号から張り替え、該固定パスを含む範囲内に該張り替えようとするパスを張り替える空き領域が無いときには、該帯域単位をより大きな帯域単位に変更して該メモリを複数の範囲に分割し、該固定パスを含む該変更後の範囲内の空き領域における最小チャネル番号から該張り替えようとするパスの張替を行うステップを含むことを特徴とするパス監視・制御方法。
【請求項２】
複数の伝送路の現在のパス設定状態をデータベースに記録する第1手段と、
該データベースに設定された各伝送路の帯域の大きな方から順に該データベースと同一テーブル構造のメモリに集合した空き状態が生じるようにパスの張替を行う第2手段と、
該メモリの内容を該データベースに上書きしてパス設定を行う第3手段と、
を備え、
該パス設定状態が、張り替えない固定パスを含み、
該第2手段が、該固定パスの周囲に張り替えようとするパスを集めるようにパスの張替を行う手段であって、該張り替えようとするパスの帯域より大きな帯域単位で該メモリを複数の範囲に分割したときに該固定パスを含む範囲内の空き領域に該張り替えようとするパスを最小チャネル番号から張り替え、該固定パスを含む範囲内に該張り替えようとするパスを張り替える空き領域が無いときには、該帯域単位をより大きな帯域単位に変更して該メモリを複数の範囲に分割し、該固定パスを含む該変更後の範囲内の空き領域における最小チャネル番号から該張り替えようとするパスの張替を行う手段を含むことを特徴とするパス監視・制御装置。

【発明の詳細な説明】
【技術分野】
【０００１】
本発明はパス監視・制御方法及び装置に関し、特にネットワークを介して複数の伝送装置に接続されたオペレーションシステム（サーバ）における伝送装置間パスの監視・制御方法及び装置に関するものである。
【背景技術】
【０００２】
図18は、上記のように複数の伝送装置（ADM装置）NE1〜NE4（以下、符号「NE」と総称することがある。）をオペレーションシステム（サーバ）OpSが伝送装置間パスの監視・制御を行う概略的な構成例を示している。
【０００３】
このようなシステム構成において、ユーザ（図示せず）は、オペレーションシステム（サーバ）OpSを介して、内蔵するデータベース（図示せず）で管理しているパスの情報を取得して現在のパスの帯域使用状態を取得することにより、パスを張りたい2つの例えば伝送装置NE1とNE3を指定して伝送装置NE1−NE3間にパス設定する。
【０００４】
このようにして、オペレーションシステムOpS内のデータベースに格納されたパス設定例が図19に示されている。このデータベースにおいて、「チャネル番号」CH001〜CH048は、使用する高速チャネルの番号を示す。また、「帯域」は、例えば図示のように、VC(Virtual Container)3,VC4,VC4-4C,及びVC4-16Cが用いられているが、これらの帯域は下記の表に示すような伝送速度及びペイロードを有している。
【０００５】
【表１】
0004693666.tif 000002
また、「パスID」は、オペレーションシステムOpS内で一意に設定されたパスの識別子を示し、UPSR(Uni-directional Path Switched Ring)の場合はE(EAST)側とW(WEST)側が同じIDを有し、両方で一つのパスを表しており、片側はこれらのいずれかのパスを示している。「パス情報」は、パスが設定済みであるか、或いは未設定であるかを示し、更に「パス種別」は、UPSRのパスか、或いは片側のパスかを示している。
【０００６】
従来においては、ユーザは、このようにパス設定されたデータベースに基づいて未設定の空きチャネル領域を用いて伝送装置NE1−NE3間のパスを設定していた。
【０００７】
一方、局間にパスを設定する際のパスマネジメント装置においてパスの割付を既存のパスのパス配列を作成し、このパス配列に新たなパスを追加するため、パス配列上に検索範囲を設定し、既存のパスを移動しつつ追加可能なパス領域を検索し、少なくとも1チャネルに割付可能な領域が存在すれば、その領域に新たなパスを割り付けるようにしたものがある（例えば、特開平11−1222415号公報。）。
【特許文献１】特開平11−1222415号公報
【発明の開示】
【発明が解決しようとする課題】
【０００８】
従来のオペレーションシステムにおいてパスを設定するためには、ユーザが図19に示すようなデータベースを画面表示し、この画面表示に基づいてパスが設定されていない空きチャネルをチェックした後、パスを決定する。
【０００９】
例えば、始点伝送装置=NE1、終点伝送装置=NE3、帯域=VC3、及びパス種別=UPSRのパスを設定しようとした場合、設定可能なチャネル番号は、CH002,CH003,CH008,CH009,及びCH028〜CH036であるが、どのチャネルにどの種別のパスを設定すればネットワークの帯域を有効に設定できるかが分からない。例えば、チャネルCH029を選択した場合、帯域VC4のパスが設定できるにも関わらず、帯域VC3のパスを設定してしまうことがあり、テーブル中のパス設定領域が虫食い状態になり、場合によっては、VC4のパスが一本も設定できなくなってしまう。
【００１０】
このように、どのようにすれば有効にパス設定が行えるかを考慮する必要があり、また、間違えて設定してしまうことから簡単にパスの設定が出来ず、ユーザの負担が大きいという課題があった。
【００１１】
また、パスに対して設定又は未設定の状態しかなく、ユーザの希望に沿ったパス設定ができないという課題もあった。
【００１２】
従って、本発明は、ユーザの希望に沿って簡単且つ有効にパスの設定が実現できるパス監視・制御方法及び装置を提供することを目的とする。
【課題を解決するための手段】
【００１３】
上記の目的を達成するため、本発明に係るパス監視・制御方法（又は装置）は、複数の伝送路の現在のパス設定状態をデータベースに記録する第1ステップ（又は手段）と、該データベースに設定された各伝送路の帯域の大きな方から順に該データベースと同一テーブル構造のメモリに集合した空き状態が生じるようにパスの張替を行う第2ステップ（又は手段）と、該メモリの内容を該データベースに上書きしてパス設定を行う第3ステップ（又は手段）と、を備え、該パス設定状態が、張り替えない固定パスを含み、該第2ステップ（又は手段）が、該固定パスの周囲に張り替えようとするパスを集めるようにパスの張替を行うステップ（又は手段）であって、該張り替えようとするパスの帯域より大きな帯域単位で該メモリを複数の範囲に分割したときに該固定パスを含む範囲内の空き領域に該張り替えようとするパスを最小チャネル番号から張り替え、該固定パスを含む範囲内に該張り替えようとするパスを張り替える空き領域が無いときには、該帯域単位をより大きな帯域単位に変更して該メモリを複数の範囲に分割し、該固定パスを含む該変更後の範囲内の空き領域における最小チャネル番号から該張り替えようとするパスの張替を行うステップ（又は手段）を含む。
【００１４】
すなわち、第1のステップ（又は手段）では、例えばオペレーションシステムにおけるデータベースに、複数の伝送装置間の複数の伝送路の現在のパス設定状態を記録しておく。
【００１５】
そして、第2ステップ（又は手段）では、上記のデータベースから集団的な張替を行うために、このデータベースと同一のテーブル構造を有するメモリを利用し、このメモリに飛び飛びの虫食い空き状態が生じないように、すなわち集合した空き状態が生じるように該データベースに設定された各伝送路の帯域の内の大きな方から順にパスを張り替えていく。
【００１６】
そして、第3ステップ（又は手段）では、このようにして張替が完了したメモリの内容をデータベースに上書きすると共に、この上書きしたデータベースに基づいてパス設定を行う。
【００１７】
従って、虫食い状態での張替が無くなるので、空き領域が集合した状態となり、新たなパス設定が容易且つ効率的となる。
【００１８】
ここで、上記のパス設定状態には、張り替えない固定パスを含み、該第2ステップ(及び手段)が、該固定パスの周囲に張り替えようとするパスを集めるようにパスの張替を行うステップ(手段)を含むので、固定パスの周囲に張り替えようとするパスを集めれば、該メモリに記録されるパスには虫食い状態が無くなるか、或いは少なくなる。
【００２０】
上記の第2ステップ（及び手段）は、張り替えようとするパスの帯域より大きな帯域単位で該メモリを複数の範囲に分割したときに該固定パスを含む範囲内の空き領域に該張り替えようとするパスを最小チャネル番号から張り替え、該固定パスを含む範囲内に該張り替えようとするパスを張り替える空き領域が無いときには、該帯域単位をより大きな帯域単位に変更して該メモリを複数の範囲に分割し、該固定パスを含む該変更後の範囲内の空き領域における最小チャネル番号から該張り替えようとするパスの張替を行うステップ（手段）を含むので、固定パスを中心にパスの張替を行うとき、帯域によっては固定パスの周囲に適当な空き領域が無く、パスの張替ができない場合があるので、そのようなときには、張り替えようとするパスより大きな帯域を考慮して、その最小チャネル番号からパスの張替を行えば、固定パスから離れずにパスの張替が可能となり、虫食い状態をより少なくすることができる。
【００２２】
また、上記のデータベースにおける現在のパス設定状態から、そのまま設定可能なパスを画面表示する第4ステップ（及び手段）と、該第2ステップ（及び手段）による張替終了時に設定可能なパスを画面表示する第5ステップ（及び手段）と、をさらに備えたことも可能である。
【００２３】
これにより、パスの張替前後において、どのようなパスをどの位張り替えられるかが画面表示により容易に認識でき、パス張替作業が容易になる。
【００２４】
なお、上記のパス設定状態には、張りたい予約パスを含むこともできる。
【発明の効果】
【００２５】
以上のように本発明に係るパス監視・制御方法により、現在のパス設定状態を虫食い状態ではなく集団的に張り替えた状態でパスの状態を判断できるので、パスの設定が簡単且つ効率的となり、且つユーザに好ましい固定パスや予約パスの設定が可能となる。
【発明を実施するための最良の形態】
【００２６】
以下に、本発明に係るパス監視・制御方法及び装置の実施例を図面を参照して説明する。
【００２７】
図1は、本発明に係るパス監視・制御方法を実現する装置の構成例を示したものである。この構成例は、図18に示したシステム構成と同様に、例えば4つの伝送装置NE1〜NE4（いずれもADM装置）に広域ネットワークWANを介してオペレーションシステム（サーバ）OpSが接続されており、このオペレーションシステムOpSには、ユーザが位置し、表示画面を有するクライアントHMIが接続されている。
【００２８】
オペレーションシステムOpSは、パス検索・張替プロセスP1とパス設定プロセスP2とデータベースDBとメモリMEMとで構成されている。パス検索・張替プロセスP1は、クライアントHMIからの指示（同図(1)）により、データベースDBに対してパス検索の指示を行い（同図(2)）、その検索結果を得る（同図(3)）。また、このパス検索・張替プロセスP1は、データベースDBに対して張替の指示を送り（同図(2)）、これに応じてデータベースDBは張替時に用いるメモリMEMに対してデータの移動を行い（同図(4)）、パス検索・張替プロセスP1からの指示により（同図(5)）、メモリMEMはその内容をデータベースDBに上書きする（同図(6)）。
【００２９】
更にパス設定プロセスP2はやはりクライアントHMIからの指示（同図(7)）を受けて、データベースDBの空き領域を検索し（同図(8)）、その結果をデータベースDBから受ける（同図(9)）。
【００３０】
このようにしてデータベースDBから受けた空き領域に基づき、パス設定プロセスP2は各伝送装置NEに対してパス設定（同図(10)）を実行する。
【００３１】
図2は、オペレーションシステムOpSにおけるデータベースDBにおける、例えば伝送装置NE1のW側の現在（張替前）のパス設定状態を示したものである。このパス設定状態は、図19に示した伝送装置NE1のW側におけるパス情報が「設定済」及び「未設定」の場合は同様であるが、クライアントHMIからパス検索・張替プロセスP1を介して、ユーザが動かしたくないパス、すなわち固定パスと、今後ユーザが張りたいパスである予約パスが新たにパス情報として追加されている点が異なっている。
【００３２】
なお、この図2においては、図19に示した伝送装置NE1のW側に対して、ラインファシリティAIDと、パスファシリティAIDと、伝送装置のEAST側を使用しているかWEST側を使用しているかを示す欄が新たに設けられている。これらの欄は、ラインファシリティAIDがこの図2のデータベース全体を収容するパッケージであることを示しており、このラインファシリティの中にはチャネルに対応するパスファシリティが収容されていることを示している。更にEAST_WEST(0:EAST,1:WES)は、UPSRのパスか、E側のパスか、或いはW側のパスかを示している。
【００３３】
図3は、やはり図1に示したデータベースDBに格納されている伝送装置NE1のE側の現在（張替前）のパス設定状態を示したものである。このパス設定例においても、図2の場合と同様に、「パス情報」として「固定」パスと「予約」パスとが新たに加えられている。
【００３４】
図4は、図1に示した伝送装置NE1〜NE4のパス設定状態のデータベースを示し、特に図2及び3に示した伝送装置NE1、及びこの伝送装置NE1との間で設定される伝送装置NE3のW側及びE側のパス設定状態を、「チャネル番号」と「帯域」と「帯域による連続使用チャネル」と「パスID」と「パス情報」と「パス種別」のみを取り出して示したものであり、伝送装置NE2及びNE4のパス設定例も同様に格納されているが、ここでは省略されている。
【００３５】
また、伝送装置NE3については、この実施例では、伝送装置NE1からNE3へのパス設定例を取り上げているので、伝送装置NE1のE側と伝送装置NE3のW側とは一致しており、同様に伝送装置NE1のW側と伝送装置NE3のE側も一致している。
【００３６】
図5は、図4に示した現在（張替前）のパス設定例において、伝送装置NE1−NE3間で図2〜4に示す如くパス設定された後、新たに設定可能なパスを表示した画面を示している。なお、この画面は、クライアントHMIにおいて見られるが、オペレーションシステムOpSにおいて見るようにしてもよい。
【００３７】
このパス表示画面において、「そのまま設定可能パス」とはオペレーションシステムOpS上で論理的なパスの設定が完了している状態でパスの張替を行わずに張れるパスを示しており、図4における網掛けが施されていない（○印が付されていない）未設定領域がこれに該当する。
【００３８】
ここで、『そのまま設定可能パス』の判断方法について以下に説明する。
【００３９】
(1)伝送装置NE1のパス使用状態を判別する。
・VC3：「パス使用状態」が未設定になっている箇所。
・VC4：チャネル番号が3n+1(n=1,4,7・・・)で「パス使用状態」が未設定になっている箇所。
・VC4-4C：チャネル番号が12n+1(n=1,13,25・・・)で「パス使用状態」が未設定になっている箇所。
【００４０】
(2)同様に伝送装置NE3のパス使用状況を判別する。
【００４１】
(3)伝送装置NE1とNE3の両方で未設定の箇所がUPSRの『そのまま設定可能パス』、始点装置(NE1)だけで未設定の箇所が片側パス（E側）の『そのまま設定可能パス』、終点装置(NE3)だけで未設定の箇所が片側パス（W側）の『そのまま設定可能パス』となる。
【００４２】
また、「パス張替で設定可能パス」とは、空き領域が虫食い状態になっているため、全体としては空き領域があるのに空き帯域が連続していないためにパスが張れないパスを、パスの張替によって設定可能となったパスを示しており、これについては以下に説明する。
【００４３】
パス張替動作
上記のようにデータベースDBに現在のデータベースが設定されている場合、パス張替を行うときの動作を、図6のフローチャート並びにこれに対応する図7〜図15を参照して以下に説明する。なお、図7〜15は、オペレーションシステムOpSが、伝送装置NE1−NE3間のパス設定を行うときの例を示しており、その他の伝送装置間のパスはここでは図示していない。
【００４４】
まず、図5に示す表示画面上の「パス張替表示」ボタンB1をユーザが押すことにより、図6のフローチャートが動作を開始する。
【００４５】
次に、図4に示すデータベースDBのパス設定状態において、「パス情報」が「固定」のパスが有るか否かを全伝送装置NE1〜NE4に関して判定し、このパスが有る場合（パスID=15,17,31）には、図7に示す全くパス設定されていない状態のメモリMEMに移動する（ステップS1）。
【００４６】
この結果、メモリMEMのテーブルは図8に示すようになり、パスID=15,17,31のチャネルCH031,CH032,CH033において「パス情報」が「固定」に設定される。なお、この場合、パスID=15がUPSRパスであり、パスID=17,31は片側パスである。また、パスの検索は、各伝送装置においてW側及びE側双方を含めてチャネル番号が小さい方から行うものとする。
【００４７】
一方、図19に示すように、「固定」のパスが存在していない場合には、以下に述べるステップにおいて「固定」のパスが存在しないものとして扱えばよい。
【００４８】
次に、図4のデータベースDBにおいて、「帯域」が「VC4−4C」であり、「パス情報」が「設定済」又は「予約」のパスが有るか否かを判定する（ステップS2）。この結果、パスID=13,35が該当することが分かる。
【００４９】
この後、上記のステップS1で得られた図8のメモリテーブル全体（これは、図示していないが実質的にVC4-16Cに相当。）において、パスID=13,35のパスの移動が可能な場所を「チャネル番号」が小さい方から探す。この場合の移動が可能な場所とは、パスが張られている例えば伝送装置NE1〜NE4全てにおいて検索することになるが、その検索結果は、ここでは、伝送装置NE1とNE3にしか関係しない。
【００５０】
この結果、図4におけるパスID=13,35のパスは、図8において、チャネル番号CH001から設定することが可能であるので、これらのパスを図4から移動する（ステップS3）。この結果、図9に示すように、パスID=13,35の「VC4-4C」パスが、伝送装置NE1,NE3チャネル番号CH001〜CH012において張られたことが分かる。
【００５１】
なお、パスID=13,35は一つずつパス張替が実行され、それに応じてメモリテーブルも更新されるが、便宜的に両者を同一メモリテーブルに同時に張り替えた状態を示している。これは以下の説明においても同様である。
【００５２】
上記のステップS2及びステップS3は、図4のデータテーブルにおいて該当するパスが無くなるまで処理を繰り返す（ステップS4）。この例の場合にはもう図4のデータベースにおいて「帯域」が「VC4−4C」で「パス情報」が「設定済」又は「予約」のものが無いので、ステップS5に進む。
【００５３】
ステップS5においては、ステップS4における「VC4−4C」の代わりに「VC4」を適用して「帯域=VC4」で「パス情報=設定済又は予約」のパスがあるか否かを判定する。この結果、図4のデータベースDBにおいては、パスID=3のパスが該当することが分かる。
【００５４】
次に、ステップS3で得られた図9のメモリテーブルにおいて、「パス情報＝固定」のパスが存在するVC4-4C単位の範囲（これは図9のメモリテーブルをVC4-4C単位で4分割した場合の範囲）内において「VC4」パスの移動が可能な場所を「チャネル番号」が小さい方から探し、有れば移動する。この場合もパスの移動が可能な場所は全伝送装置NEにおいて検索する（ステップS6）。
【００５５】
すなわち、図9のメモリテーブルにおいて、「帯域＝VC4-4C」のパスは、チャネルCH001,CH013,CH025,CH037から始まる12チャネル連続使用分の帯域（○印で表示）に分割することができ、この中で「固定」のパスが存在するのはチャネルCH025〜CH036の12チャネル分の帯域である。
【００５６】
そこで、ステップS5で検索されたパスID=3のVC4帯域パスは、チャネルCH025〜CH036の中で「チャネル番号」が最も小さいチャネルCH025〜CH027の空き領域に移動できることが分かるので、図10のメモリテーブルに示すように、このパスID=3のVC4帯域パスを伝送装置NE1,NE3のチャネルCH025〜CH027に移動する。
【００５７】
そして、これらのステップS5及びS6は、上記のステップS4と同様に、移動するパスが無くなるまで処理を繰り返す（ステップS７）。
【００５８】
図4のデータベースにおいては、ステップS6においてパスID=3のみが該当するので、ステップS6からステップS8に進み、この「帯域＝VC4」パスが、上記のステップS6のように、「固定」のパスが存在するVC4−4C帯域単位の範囲では検索されない場合、「固定」パスを含まない別のVC4-4C単位の範囲内での「帯域＝VC4」パスの移動場所を「チャネル番号」が小さい方から探し、有れば移動する（ステップS8）。この場合には「帯域＝VC4」パスはパスID=3の帯域しかないので、ステップS8からステップS7及びS5を経由してステップS9に進む。
【００５９】
ステップS9では、ステップS5における「VC4」の代わりに「VC3」で該当するものが有るか否かを判定する。この結果、図4のデータベースを見ると、チャネル番号順にパスID=1,5,7,9,11,19,21,25,27,29,33のV3帯域パスが該当することが分かる。
【００６０】
そこでステップS10においては、まずステップS6で得られた図10のメモリテーブルにおいて、ステップS6におけるVC4−4C単位の範囲の代わりにVC4単位の範囲を検索し、且つ「VC4」パスの代わりに「VC3」パスが移動可能な場所を「チャネル番号」が小さい方から探し、有れば移動する。
【００６１】
ここで、上記のステップS9で検索されたパスIDをチェックすると、VC4単位の範囲で「固定」のパスが存在するのは伝送装置NE1のW側（及び伝送装置NE3のE側）の場合、チャネルCH031〜CH033であり、同E側（及び伝送装置NE3のW側）はチャネルCH031,CH032である。パスID=1,5のVC3帯域に関しては、パス種別＝USPRであり、空き領域のチャネルCH032及びCH033は共に片側パスであるので、これらのチャネルCH031〜CH033には移動できないことが分かる。従って、ステップS12に進む。
【００６２】
ステップS12においては、このパスID=1, 5に関し、今度は範囲を広げ、VC4単位の範囲の代わりにVC4-4C単位の範囲に拡大して同様に「VC3」パスの移動が可能な場所を探す。このステップも「固定」パスが存在するVC4-4C単位の範囲であることを条件とするので、チャネルCH025〜CH036がこれに該当し、この範囲で見るとパスID=1,5は空き領域において最もチャネル番号が小さいチャネルCH028及びCH029（伝送装置NE1,NE3のW側及びE側共通）に移動できることが分かるので、図11に示すように、これらのパスID=1,5をUSPRとして設定する。
【００６３】
この後、ステップS12からステップS11を経てステップS9に進み、更にステップS10では、E側の片側パスID=7のVC3帯域パスがこの条件に該当するか否かを判定する。この結果、パスID=7はVC4単位の範囲で且つ「固定」パスを含む伝送装置NE1の同じE側のチャネルCH031〜CH033におけるチャネルCH033が空き領域であるので、このチャネルCH033に移動することにより、図12に示すメモリテーブルが得られる。
【００６４】
次に、ステップS11及びステップS9を経てステップS10に戻ると、今度はパスID=9のVC3帯域パスをチェックすると、このステップS10では存在しないのでステップS12に進む。このステップS12では、ステップS10で得られた図12において、伝送装置NE1,NE3のチャネルCH030に移動できることが分かるので、図13に示すメモリテーブルが得られる。これは、ステップS9で得られたパスID=11についても同様であり、伝送装置NE1,NE3のチャネルCH034に移動できることが分かるので、図13に示すメモリテーブルではそのように設定されることになる。
【００６５】
同様にして、ステップS9で得られたパスIDの内、パスID=25に関しては、ステップS10においてパス種別=片側であるので、図13のメモリテーブルから伝送装置NE1のW側及び伝送装置NE3のE側のチャネルCH032に移動できることが分かるので、図14に示すようなメモリテーブルとなる。
【００６６】
その他のパスID=27,29,19,21,33については、ステップS10では該当する移動場所が無く、ステップS12において検索され、その結果、図15に示すように移動されることになる。
【００６７】
そして、ステップS13においては、ステップS8と同様に、図4のデータベースにおいて、「VC3」パスの移動が可能な場所を「チャネル番号」が小さい方から探して有れば移動させるが、この例ではもう全てのパスIDについて実行したのでこのパス張替動作を終了することになる。
【００６８】
なお、上記のようにパスの張替手順は、以下のようにして実行することも可能である。
前提条件：
『Ａ』ベアラが大きい順番（VC4-16C→VC4-4C→VC4→VC3）で検索する。
『Ｂ』UPSR、片側パスの順番で検索する。
『Ｃ』パスを移動する際には、固定設定がある帯域に張り替える事を想定する。（図９のイメージ）
(1)VC4-4CのUPSRパス（チャネル12個分）が入る場所（12n+1〜12n+12全てが空いている箇所）を検索する。
(2)VC4-4Cの片側パス（E側）（チャネル12個分）が入る場所（12n+1〜12n+12全てが空いている箇所）を検索する。
(3)VC4-4Cの片側パス（W側）（チャネル12個分）が入る場所（12n+1〜12n+12全てが空いている箇所）を検索する。
(4)VC4のUPSRパス（チャネル3個分）が入る場所（3n+1〜3n+3全てが空いている箇）を検索する。
(5)VC4の片側パス（E側）（チャネル3個分）が入る場所(3n+1〜3n+3全てが空いている箇所)を検索する。
(6)VC4の片側パス（W側）（チャネル3個分）が入る場所(3n+1〜3n+3全てが空いている箇所)を検索する。
(7)VC3のUPSRパス（チャネル1個分）が入る場所を検索する。
(8)VC3の片側パス（E側）（チャネル1個分）が入る場所を検索する。
(9)VC3の片側パス（W側）（チャネル1個分）が入る場所を検索する。
【００６９】
このようにして、図15に示すメモリテーブルにおいて図4に示したデータベースが張り替えられた状態が得られるが、この状態でパス張替が設定可能なパスを示したものが図16である。これは、図15における網掛けが施されていない空き領域（○印が無い領域）に対応している。
【００７０】
そして、このような図15のメモリテーブルを、図16における張替実施のボタンB2をユーザが押すことにより、このメモリ内容はデータベースDBに反映され上書きされることになる。
【００７１】
この後、図1に示したパス設定プロセスP2は、図17に示すパス設定動作のステップS30以降を実行する。このパス設定動作は既に知られたものであるが、以下に簡単に説明する。
【００７２】
まずユーザは、パス設定のための基本情報を入力する（ステップS21）。この場合の基本情報は、パス種別（UPSR又は片側）、始点装置、終点装置、パス帯域、パスIDなどである。このように入力された設定パス情報から設定できる帯域をデータベースDBから検索し、GUIに表示（画面表示）する（ステップS22）。この場合、設定できる帯域（チャネル）は全て表示する。この場合のGUIは図16に示した画面に対応している。
【００７３】
そして、このような表示画面から設定が可能な帯域が有るか否かを判定する（ステップS23）。この結果、設定可能帯域が無い場合にはこの旨をGUIに表示し、パス設定処理を終了する（ステップS24）が、設定できる帯域が有る場合には、任意に選択を行う（ステップS25）。これは、図15に示した網掛けが施されていない空き領域である。
【００７４】
次に、パスのAdd（挿入）又はDrop（分岐）ポイントをデータベースDBから検索し、始点装置及び終点装置としてGUIに表示する（ステップS26）。
【００７５】
そして、Add/Drop設定可能ポイントが有るか否かを判定し（ステップS27）、無い場合にはその旨を表示してパス設定処理を終了する（ステップS28）が、存在する場合には、始点装置および終点装置のAdd/Dropポイントを選択する（ステップS29）。
【００７６】
そして、各伝送装置NEに対してパス設定コマンドを送信し（ステップS30）、パス設定が正常か否かをチェックし（ステップS31）、異常な場合にはその旨をGUIに表示してパス設定処理を終了する（ステップS32）が、パス設定が正常であることが分かった時には設定パス情報をデータベースDBに格納する（ステップS33）。
【００７７】
このようにしてパス設定が終了する。
【００７８】
尚、上記実施例によって本発明は限定されるものではなく、特許請求の範囲の記載に基づき、当業者によって種々の変更が可能なことは明らかである。
【００７９】
（付記１）
複数の伝送路の現在のパス設定状態をデータベースに記録する第1ステップと、
該データベースに設定された各伝送路の帯域の大きな方から順に該データベースと同一テーブル構造のメモリへ該メモリに虫食い空き状態が生じないように集団的な張替を行う第2ステップと、
該メモリの内容を該データベースに上書きしてパス設定を行う第3ステップと、
を備えたことを特徴とするパス監視・制御方法。
（付記２）付記１において、
該パス設定状態が、張り替えない固定パスを含み、該第2ステップが、該固定パスを中心にして該メモリに虫食い状態が生じないようにパスの張替を行うステップを含むことを特徴とするパス監視・制御方法。
（付記３）付記２において、
該第2ステップが、張り替えようとする第1帯域より大きな第2帯域で該メモリを分割したときに該固定パスを含む該第2帯域の空き領域に該第1帯域を最小チャネル番号から張り替え、該第1帯域を張り替える空き領域が無いときには、該固定パスを含む該第2帯域より大きな帯域の空き領域における最小チャネル番号から該第1パスの張替を行うステップを含むことを特徴とするパス監視・制御方法。
（付記４）付記１において、
該データベースにおける現在のパス設定状態から、そのまま設定可能なパスを画面表示する第4ステップと、該第2ステップによる張替終了時に設定可能なパスを画面表示する第5ステップと、
をさらに備えたことを特徴とするパス監視・制御方法。
（付記５）付記１において、
該パス設定状態が、張りたい予約パスを含むことを特徴とするパス監視・制御方法。
（付記６）
複数の伝送路の現在のパス設定状態をデータベースに記録する第1手段と、
該データベースに設定された各伝送路の帯域の大きな方から順に該データベースと同一テーブル構造のメモリへ該メモリに虫食い空き状態が生じないように集団的な張替を行う第2手段と、
該メモリの内容を該データベースに上書きしてパス設定を行う第3手段と、
を備えたことを特徴とするパス監視・制御装置。
（付記７）付記６において、
該パス設定状態が、張り替えない固定パスを含み、該第2手段が、該固定パスを中心にして該メモリに虫食い状態が生じないようにパスの張替を行う手段を含むことを特徴とするパス監視・制御装置。
（付記８）付記７において、
該第2手段が、張り替えようとする第1帯域より大きな第2帯域で該メモリを分割したときに該固定パスを含む該第2帯域の空き領域に該第1帯域を最小チャネル番号から張り替え、該第1帯域を張り替える空き領域が無いときには、該固定パスを含む該第2帯域より大きな帯域の空き領域における最小チャネル番号から該第1パスの張替を行う手段を含むことを特徴とするパス監視・制御装置。
（付記９）付記６において、
該データベースにおける現在のパス設定状態から、そのまま設定可能なパスを画面表示する第4手段と、該第2手段による張替終了時に設定可能なパスを画面表示する第5手段と、
をさらに備えたことを特徴とするパス監視・制御装置。
（付記１０）付記６において、
該パス設定状態が、張りたい予約パスを含むことを特徴とするパス監視・制御装置。
【図面の簡単な説明】
【００８０】
【図１】本発明に係るパス監視・制御方法及び装置の一実施例を示したブロック図である。
【図２】本発明で用いられるデータベースにおいて伝送装置NE1のW(WEST)側のパス張替前の現在のパス設定例を示した図である。
【図３】本発明で用いられるデータベースにおいて伝送装置NE1のE(EAST)側のパス張替前の現在のパス設定例を示した図である。
【図４】本発明に係るパス監視・制御方法及び装置において、パス張替前の各伝送装置NE1〜NE4間でのデータベース（パス設定）例を示した図である。
【図５】本発明に係るパス監視・制御方法及び装置におけるパス張替前の伝送装置NE1−NE3間で設定可能なパスを表示した画面例を示した図である。
【図６】本発明に係るパス監視・制御方法及び装置におけるパス張替動作を示したフローチャート図である。
【図７】本発明に係るパス監視・制御方法及び装置におけるパス張替前（パス設定無し）のメモリ内容例(1)を示した図である。
【図８】本発明に係るパス監視・制御方法及び装置における固定パス（パスID=15,17,31）移動後のメモリ内容例(2)を示した図である。
【図９】本発明に係るパス監視・制御方法及び装置におけるVC4-4Cパス（パスID=13,35）の張替後のメモリ内容例(3)を示した図である。
【図１０】本発明に係るパス監視・制御方法及び装置におけるVC4パス（パスID=3）の張替後のメモリ内容例(4)を示した図である。
【図１１】本発明に係るパス監視・制御方法及び装置におけるVC3パス（パスID=1,5）の張替後のメモリ内容例(5)を示した図である。
【図１２】本発明に係るパス監視・制御方法及び装置におけるVC3パス（パスID=7）の張替後のメモリ内容例(6)を示した図である。
【図１３】本発明に係るパス監視・制御方法及び装置におけるVC3パス（パスID=9,11）の張替後のメモリ内容例(7)を示した図である。
【図１４】本発明に係るパス監視・制御方法及び装置におけるVC3パス（パスID=25）の張替後のメモリ内容例(8)を示した図である。
【図１５】本発明に係るパス監視・制御方法及び装置におけるVC3パス（パスID=27,29,19,21,33）の張替後のメモリ内容例(9)を示した図である。
【図１６】本発明に係るパス監視・制御方法及び装置におけるパス張替前後の伝送装置NE1−NE3間で設定可能なパスを表示した画面例を示した図である。
【図１７】従来から知られている一般的なパス設定手順を示したフローチャート図である。
【図１８】伝送装置に接続されてこれらを制御するオペレーションシステムを示したシステム構成例のブロック図である。
【図１９】従来にける伝送装置NE1〜NE4間で設定されるパスのデータベース例を示した図である。
【符号の説明】
【００８１】
OpS  オペレーションシステム(サーバ)
P1  パス検索・張替プロセス
P2  パス設定プロセス
DB  データベース
MEM  メモリ
HMI  クライアント
WAN  広域ネットワーク
NE1〜NE4(ADM)  伝送装置
B1  張替表示ボタン
B2  張替実施ボタン
図中、同一符号は同一又は相当部分を示す。
【図１】
0004693666.tif 000003
【図２】
0004693666.tif 000004
【図３】
0004693666.tif 000005
【図４】
0004693666.tif 000006
【図５】
0004693666.tif 000007
【図６】
0004693666.tif 000008
【図７】
0004693666.tif 000009
【図８】
0004693666.tif 000010
【図９】
0004693666.tif 000011
【図１０】
0004693666.tif 000012
【図１１】
0004693666.tif 000013
【図１２】
0004693666.tif 000014
【図１３】
0004693666.tif 000015
【図１４】
0004693666.tif 000016
【図１５】
0004693666.tif 000017
【図１６】
0004693666.tif 000018
【図１７】
0004693666.tif 000019
【図１８】
0004693666.tif 000020
【図１９】
0004693666.tif 000021